(57)【要約】【課題】  携帯に優れ、面白みがあり、かつ離れた場所からでも簡易にメッセージの伝達ができるメッセージ表示玩具を提供する。【解決手段】  本発明は、片手で持てる棒状の本体に沿って配列したＬＥＤ群を利用して、前記本体に内蔵されたＩＣチップのような記録手段上に事前に登録されたＬＥＤ群の複数の点滅パターン情報から一つを選び出し、前記本体に内蔵されたタイマ回路によって前記ＬＥＤ群を前記点滅パターン情報の要素列の順に点滅させ、棒状の前記本体を左右に振ることにより視覚的な残像効果によって絵又は文字テキストなどのメッセージを表示できる面白い効果をもたらすことができる。【選択図】図１
2005230397.tif 000002
【特許請求の範囲】
【請求項１】
片手で持てる大きさの棒状の器具本体と、前記器具本体の表面に沿って縦１列状に配置した複数個の発光ダイオード群（以降、ＬＥＤ群と呼ぶ）と、前記ＬＥＤ群を点滅させるタイマ回路を備え、前記ＬＥＤ群を点滅させる複数の点滅パターン情報を記録したＩＣチップに代表される記録手段と、前記器具本体の一部に設けられ外部から押されることにより前記記録手段に記録された点滅パターン情報の一つを選択し、前記タイマ回路に伝えて前記ＬＥＤ群を点滅動作させる切替えスイッチを備え、前記ＬＥＤ群、前期タイマ回路および前期記録手段に電力を供給する電源電池と前記電源電池を接続するための電源スイッチを備え、前記電源スイッチによって電力を供給し、前記切替えスイッチを選択することによって前期記録手段に事前に記録された複数の点滅パターン情報の一つの絵又は文字テキストのイメージを呼び出し、前記イメージを構成する縦の要素列を前記ＬＥＤ群上に順に表示する動作を引き起こし、手動で前記器具本体を左右に振ることによって絵又は文字を視覚的な残像効果によって復元し離れた場所へメッセージを伝えることを特徴とするＬＥＤメッセージ伝達玩具。
【発明の詳細な説明】
【技術分野】
【０００１】
本発明は、ＬＥＤとＩＣチップのような記録手段を組み合わせ、事前に記録されたＬＥＤの点滅パターン情報を利用して、手動で左右に振ることによって、棒状に沿って配置したＬＥＤ群の点滅する光の残像効果を利用し、絵又は文字テキストをイメージとして表示する玩具に関する。
【背景技術】
【０００２】
従来、ＬＥＤを利用した玩具は多く考えられており、棒状の器具にＬＥＤ光を点灯させサインとして利用する形態、あるいは、特許文献１のようなメッセージを登録でき、ＬＥＤを利用してスクロールメッセージを表示できる玩具、特許文献２のような特殊なスイッチを使ってＬＥＤを点滅させる子供用の玩具、特許文献３のような回転ディスプレイを利用した光玩具などがある。また、複数のＬＥＤを点滅させ、残像効果を利用して絵を表示する原理は知られており、非特許文献１のような展示物で見ることが出来る。
【０００３】
【特許文献１】特開２０００−２２５２７６  （要約）
【特許文献２】特開平７−７７９４１  （特許請求の範囲）
【特許文献３】特開平１１−１９４７２９  （要約）
【非特許文献１】横浜こども科学館のライトスティック展示物（２００４年２月２０日現在のhttp://www.ysc.go.jp/ysc/info/g5333.html）
【発明の開示】
【発明が解決しようとする課題】
【０００４】
上述したように、ＬＥＤを光サインとしての玩具、スクロール型のメッセージ表示玩具として利用することはあっても、ＬＥＤの光の点滅と残像効果を利用し、人が手動で左右に振るなどの動作によって絵又は文字テキストなどのメッセージを表示する面白さを演出する玩具は見当たらない。本発明は、低電力で動作するＬＥＤの点滅表示と記録手段に記録した情報を組み合わせることで、ＬＥＤの点滅パターンを制御し、手動の左右の振り動作によって残像効果の絵又は文字テキスト表示を引き起こす面白さを演出する玩具を実現するためになされたものである。
【課題を解決するための手段】
【０００５】
前記の課題を解決する手段は以下のとおりである。
本発明は、片手で持てる大きさの棒状の器具本体と、前記器具本体の表面に沿って縦１列状に配置した複数個の発光ダイオード群（以降、ＬＥＤ群と呼ぶ）と、前記ＬＥＤ群を点滅させるタイマ回路を備え、前記ＬＥＤ群を点滅させる複数の点滅パターン情報を記録したＩＣチップに代表される記録手段と、前記器具本体の一部に設けられ外部から押されることにより前記記録手段に記録された点滅パターン情報の一つを選択し、前記タイマ回路に伝えて前記ＬＥＤ群を点滅動作させる切替えスイッチを備え、前記ＬＥＤ群、前期タイマ回路および前期記録手段に電力を供給する電源電池と前記電源電池を接続するための電源スイッチを備え、前記電源スイッチによって電力を供給し、前記切替えスイッチを選択することによって前期記録手段に事前に記録された複数の点滅パターン情報の一つの絵又は文字テキストのイメージを呼び出し、前記イメージを構成する縦の要素列を前記ＬＥＤ群上に順に表示する動作を引き起こし、手動で前記器具本体を左右に振ることによって絵又は文字を視覚的な残像効果によって復元し離れた場所へメッセージを伝えることを特徴とする。
【発明の効果】
【０００６】
以上説明したように本発明によれば、片手で持てる手軽さと低電力で利用できるメリットを生かして携帯用の玩具として利用でき、事前に記録された記録手段の情報を基に絵又は文字テキストの情報パターンを一つ選択し、手動で左右に振ることによる残像効果を利用して、選択した絵又は文字テキストをメッセージとして表示することが出来る。前記効果を利用して、離れた場所からのメッセージ伝達玩具として面白く利用することができ、コンサートなどのイベントやスポーツ観戦での応援グッズとして利用できるという効果を発揮するものである。
【発明を実施するための最良の形態】
【０００７】
次に、本発明の実施の形態を実施例の図１〜図２に基づいて説明する。
【実施例１】
【０００８】
図１は、ＬＥＤメッセージ伝達玩具１の必要な構成要素を示す図であり、ＬＥＤ群１１、タイマ回路１２、記録手段１３、電源電池１４と切替えスイッチ１５及び電源スイッチ１６から構成されている。
【０００９】
電源電池１４は、必要な装置を動作させ、ＬＥＤを点滅させるのに十分な省電力の乾電池で構成され、電源スイッチ１６を接続することによって記録手段１３とタイマ回路１２、及びタイマ回路１２を通してＬＥＤ群１１へ電力を供給する。
【００１０】
記録手段１３は、ＬＥＤ群を点滅させるパターン情報を登録する装置であり、あらかじめ設定される絵又は文字テキストのイメージにあわせて、絵又は文字テキストイメージを構成する要素の点滅パターン情報を記録手段１３の容量に応じて複数記録することができる。
【００１１】
切替えスイッチ１５は、記録手段１３に登録されている点滅パターン情報の一つを選択して、タイマ回路１２へ渡す役割を果たす。
【００１２】
タイマ回路１３は、切替えスイッチ１５によって渡された点滅パターン情報を基に、ＬＥＤ群１１を構成する各ＬＥＤを、一定のタイミングをとりながら点滅パターンを構成する要素列の表示順に点滅させる役割を果たす。
【００１３】
以上の関係を利用して、電源スイッチ１６を接続すると、電源電池１４がタイマ回路１２、記録手段１３へ電力を供給し、切替えスイッチ１５によって現在接続されている記録手段１３上の点滅パターン情報を呼び出し、タイマ回路１２を動作させ、ＬＥＤ群１１を点滅させることによって、絵又は文字テキストのイメージの各要素列を順に表示することができる。
【００１４】
図２は、図１の関係の利用方法を示す図である。
【００１５】
図２のＬＥＤメッセージ伝達玩具の状態（１）のＬＥＤ群２１は、図１のタイマ回路１２によって点滅指示を受けたＬＥＤ群１１の一瞬の状態を示し、１５個のＬＥＤのうち白丸が未点灯の状態、黒丸が点灯状態であることを示している。
【００１６】
図２の関係は、図１の関係に従って動作するＬＥＤ群１１を介して順に表示される絵又は文字テキストイメージの各要素列の表示を利用して、手動の振り動作４を行いＬＥＤメッセージ伝達玩具の状態（１）２からＬＥＤメッセージ伝達玩具の状態（２）３へ移動させることによって、ＬＥＤメッセージ伝達玩具の状態（１）のＬＥＤ群２１  の表示から順に本来の絵やテキストを視覚的な残像効果で順にイメージとして表示できることを示す。
【図面の簡単な説明】
【００１７】
【図１】本発明実施例の全体構成を示す図。
【図２】本発明実施例の利用方法を示す図。
【符号の説明】
【００１８】
１  ＬＥＤメッセージ伝達玩具
２  ＬＥＤメッセージ伝達玩具の状態（１）
３  ＬＥＤメッセージ伝達玩具の状態（２）
４  手動の振り動作
１１  ＬＥＤ群
１２  タイマ回路
１３  記録手段
１４  電源電池
１５  切替えスイッチ
１６  電源スイッチ
２１  ＬＥＤメッセージ伝達玩具の状態（１）のＬＥＤ群
【図１】
2005230397.tif 000003
【図２】
2005230397.tif 000004